(57)【要約】【課題】簡易な構成で通気性に優れる帽子を提供することを課題とする。【解決手段】上記課題を解決するために、一又は複数のシートにより頭部に被せられるクラウン部を形成する帽子であって、前記シートは、山折りと谷折りを交互に行い折畳むことで少なくとも三層に重なるように形成される領域である折畳部を一又は複数有し、前記折畳部を構成する層のうち、頭部に被せられたときに頭部と接する第一層と前記第一層に重なる第二層とのいずれか一方に又は双方にかけて通気のための通気孔を有する帽子などを提供する。【選択図】図１
2013011037.tif 000002
【特許請求の範囲】
【請求項１】
一又は複数のシートにより頭部に被せられるクラウン部を形成する帽子であって、
前記シートは、山折りと谷折りを交互に行い折畳むことで少なくとも三層に重なるように形成される領域である折畳部を一又は複数有し、
前記折畳部を構成する層のうち、頭部に被せられたときに頭部と接する第一層と前記第一層に重なる第二層とのいずれか一方に又は双方にかけて通気のための通気孔を有する帽子。
【請求項２】
前記折畳部を構成する層のうち、前記第一層と異なる層であって前記第二層に重なる層である第三層と、前記第二層との境界にスリットを有する請求項１に記載の帽子。
【発明の詳細な説明】
【技術分野】
【０００１】
本発明は、簡易な構成であり、通気性に優れる帽子に関する。
【背景技術】
【０００２】
農作業や工事などの屋外作業に従事する者にとって、熱中症対策に必要不可欠なのが帽子である。帽子は、直射日光を避け頭部の温度上昇を抑える効果がある。しかし、通気性の乏しい帽子を被り続けた場合には、頭部に熱がこもり高温多湿状態となり好ましくない。したがって、熱がこもらないように通気性を確保することが重要となる。
【０００３】
そこで、通気性を確保するための工夫がなされている。例えば、特許文献１には、間隔を有して設けられる複数の庇と、それら庇の間に通風口を設けた帽子が開示されている。
【先行技術文献】
【特許文献】
【０００４】
【特許文献１】特開２０１０−７０８８４号公報
【発明の概要】
【発明が解決しようとする課題】
【０００５】
上記の帽子は構成する部品点数が多く簡易な構成ではないため、低廉な価格で提供することが容易ではない。また、従来の帽子に対して特有の外観を有しており、被ることに違和感などを覚えるおそれが考えられる。
【課題を解決するための手段】
【０００６】
そこで、上記課題を解決するために本発明において、以下の帽子を提供する。すなわち、第一の発明としては、一又は複数のシートにより頭部に被せられるクラウン部を形成する帽子であって、前記シートは、山折りと谷折りを交互に行い折畳むことで少なくとも三層に重なるように形成される領域である折畳部を一又は複数有し、前記折畳部を構成する層のうち、頭部に被せられたときに頭部と接する第一層と前記第一層に重なる第二層とのいずれか一方に又は双方にかけて通気のための通気孔を有する帽子を提供する。
【０００７】
第二の発明としては、前記折畳部を構成する層のうち、前記第一層と異なる層であって前記第二層に重なる層である第三層と、前記第二層との境界にスリットを有する第一の発明に記載の帽子を提供する。
【発明の効果】
【０００８】
本発明により、簡易な構成で通気性に優れる帽子を提供することが可能となる。
【図面の簡単な説明】
【０００９】
【図１】実施形態１に係る帽子の概念図
【図２】実施形態１に係るシートの概念図
【図３】実施形態１に係るシートの概念図
【図４】実施形態１に係るシートの概念図
【図５】実施形態１に係るシートの概念図
【図６】実施形態２に係るシートの概念図
【発明を実施するための形態】
【００１０】
以下、本発明の実施の形態について、添付図面を用いて説明する。なお、本発明は、これら実施形態に何ら限定されるべきものではなく、その要旨を逸脱しない範囲において、種々なる態様で実施し得る。
【００１１】
実施形態１は、主に請求項１などに関する。実施形態２は、主に請求項２などに関する。
<実施形態１>
<実施形態１  概要>
【００１２】
本実施形態に係る帽子の概念図を図１に示す。帽子のクラウン部（０１０１）、すなわち頭部に被せられる部分は、複数のシート（０１０２）を縫い合わせたり貼り合わせるなどして形成される。破線で囲み記しているのは、（ａ）は拡大したシートを斜視図で示したものであり、（ｂ）は、シートを断面視したものである。このシートは山折りと谷折りを交互に行い畳み、畳んだ内側に通気のための通気孔（０１０３）を設けている。この通気孔により、頭部に熱がこもりにくくなる。図示したように、シートの一部に孔を開け、これを適宜折り畳むだけの簡易な工程で通気性に優れる帽子を製造することが可能になる。
<実施形態１  構成>
【００１３】
本実施形態の帽子は、一又は複数のシートにより頭部に被せられるクラウン部を形成する帽子であって、前記シートは、山折りと谷折りを交互に行い折畳むことで少なくとも三層に重なるように形成される領域である折畳部を一又は複数有し、前記折畳部を構成する層のうち、頭部に被せられたときに頭部と接する第一層と前記第一層に重なる第二層とのいずれか一方に又は双方にかけて通気のための通気孔を有する。
【００１４】
「帽子」は、一又は複数のシートにより頭部に被せられるクラウン部を形成する。クラウン部は帽子の山の部分を指し、当該部分が頭に被せられることになる。図１に示したように野球帽タイプの場合には、６枚や８枚などのシートを縫い合わせ、あるいは、貼り合わせることでクラウン部が形成される。
【００１５】
「シート」は、クラウン部を形成するための布状物である。図１に示した野球帽タイプの帽子の場合には、縫い合わせる際に略三角形状となるように裁断される。そして、略三角形のシートの底辺側がクラウン部の裾側となり、半球形状のクラウン部を形成する。シートの形状は、帽子の形状に応じて適宜定めることができる。例えば、シルクハットのようにクラウン部が円形状の天井を有する筒形状である場合には、天井を形成するための円形状のシートと、筒の側面の部分である腰を形成するためのシートとを適宜用意すればよい。
【００１６】
シートの材質は、天然繊維でも合成繊維でもよく特段限定するものではないが、シート自体に通気性を有する方が好ましい。また、日射しを反射するためにアルミニウムを被覆したシートを用いてもよい。
【００１７】
図２は、本実施形態に係るシートの概念図である。図２（ａ）は、折り畳む前の展開した状態のシート示すものである。図２（ｂ）は、折り畳んだ状態を示すものである。図２（ｃ）は、断面方向視したものを示している。なお、図２（ａ）は、折り畳んだ状態でシートが略三角形状となるように予め裁断したものである。ここで、図２（ａ）、（ｂ）に示されているシートは、シートの外側である。シートの「外側」とは、クラウン部を形成する際に、クラウン部の外側となる側をいい、シートの「内側」とは、クラウン部の内側となる側をいう。なお、帽子を被る際に頭部と接する側が、クラウン部の内側である。図２（ｃ）については、当該図中のシートに向かって右側がシートの内側であり、シートに向かって左側がシートの外側となる。
【００１８】
シートの裁断については、図２（ａ）に示すように、折り畳んだ状態で略三角形状となるように予め裁断しておいてもよいし、折り畳んだ後に略三角形状となるように裁断してもよい。
【００１９】
シート（０２００）は、山折りと谷折りを交互に行うことで折畳部（０２０５、０２０６）を形成する。ここで、「山折り」とは、折り目が外側になるように折ることであり、「谷折り」とは、折り目が内側になるように折ることをいう。また、本明細書において特段の断り書きのない場合には、上記「山折り」、「谷折り」は、シートの外側から見た場合におけるものとする。図２（ｃ）に示すように、山折り（０２０１）と谷折り（０２０２）をすることで折畳部（０２０５）が形成され、さらに、山折り（０２０３）と谷折り（０２０４）をすることで折畳部（０２０６）が形成される。山折りと谷折りとの間の領域は、図２（ａ）においては、斜線で記された領域（０２０８、０２０９）であり、図２（ｂ）おいては、破斜線で示している。図示するように、山折りと谷折りを交互に行うことで、シートは断面視にて「Ｓ」の字を上下につぶしたように折り畳まれ三層に重ねられることになる。このように折り畳まれて重ねられた部分を折畳部という。
【００２０】
一の折畳部とこれに連なる折畳部とがさらに重なった場合には三層よりも多くの層となる。多層化が過ぎるとクラウン部を形成するシートが厚くなるので、三層に止めることが好ましい。
【００２１】
図２においては、山折りの折り目（０２０１、０２０３）が下側に向いている。すなわち、クラウン部の裾側に向くようになっている。このように、山折りの折り目が下側に向くように折畳部を形成することにより、ほこりや雨水が後述する通気孔（０２０７）からクラウン部の内側に入ることを防止することができる。一方、山折りの折り目を上側に向くようにした場合には、ほこりや雨水が内側に入りやすくなるが、クラウン部の内側の湿気は蒸発しやすくなる。
【００２２】
図３を用いて折畳部について、さらに説明する。図３は、折畳部を正面視した図と、「Ａ−Ａ線」にて断面視した図である。また、シートの内側及び外側は、上述したように図２における場合と同様である。シート（０３００）を、山折り（０３０１）と谷折り（０３０２）とをすることで三層の折畳部（０３０３）が形成される。この三層の折畳部において、頭部に被せられたときに頭部と接する層を第一層とする。すなわち、折畳部を構成する層のうち図中最も右側に位置する層（０３０４）が第一層となる。
【００２３】
また、第二層（０３０５）は、前述の第一層と重なる層であり、折畳部を形成する山折りの折り目（０３０１）と谷折りの折り目（０３０２）との間の領域である。この第二層は、図２において斜線が引かれた領域で示されている。また、折畳部を構成する層のうち、第一層と異なる層であって、第二層に重なる層を第三層（０３０６）とする。
【００２４】
折畳部を構成する各層は、言い換えれば、山折りと谷折りを交互にすることにより三層に折り重ねられた層のうち、山折りの折り目と谷折りの折り目との間の領域を第二層とする場合において、第二層と前記谷折りにより重ねられる層を第一層とし、第二層と前記山折りにより重ねられる層を第三層ということもできる。
【００２５】
図２及び図３を用いて、通気孔の説明をする。通気孔は通気のために設けられ、前述した第一層と第二層とのいずれか一方に又は双方にかけて設けられる。図２（ａ）においては、通気孔（０２０７）は、折畳部（０２０６）を構成する第一層と第二層との双方にかけて設けられている。
【００２６】
図３においては、第一層（０３０４）と第二層（０３０５）との双方にかけて通気孔（０３０７）が設けられており、谷折りの折り目（０３０２）にて半円形に切りぬいたような状態となる。
【００２７】
図４は、通気孔による通気の様子を示す概念図である。シート（０４０１）の折畳部を構成する三層のうち、第一層と第二層とにかけて通気孔（０４０２）が設けられる。この通気孔により、シートの内側（０４０３）と外側（０４０４）への通気がなされ、帽子を被ったときに頭部に熱がこもりにくくなる。また、第二層と第三層が、通気孔が外界に直接さらされないためのカバーとしても役割を果たす。そのため、通気孔による通気を可能としつつ、通気孔から雨水やほこりがクラウン部の内側に入ることを防止することが可能となる。
【００２８】
ここで、折畳部を形成するにあたり、折畳部が展開してしまわないために、これを構成する各層を互いに接着することが好ましい。しかしながら、折畳部は、これを構成する各層が互いに完全に密着してなるものではないので、各層の接着は部分的に行うことが好ましい。例えば、野球帽のように略三角形状のシートを複数用いてクラウン部を形成する場合には、一のシートの斜辺部分と他のシートの斜辺部分とを接着することで、クラウン部が形成されるとともに、シートの折畳部を構成する各層が当該斜辺部分にて部分的に互いに接着されることになる。したがって、当該斜辺部分以外については、各層が互いに接着されないことになる。このようにすることで、形成された折畳部を維持するとともに、折畳部の第一層と第二層との間に隙間が生じ、通気孔による通気が十分になされる。
【００２９】
また、クラウン部を形成するシートの数がより少ない場合、例えば、４枚の略三角形状のシートによりクラウン部を形成する場合には、上述したような他のシートと斜辺部分において接着する他、各シートの略三角形状の頂点部分から底辺部分にかけて一又は複数の線状に各層を縫合などにより接着することで、第一層と第二層との間に隙間を生じさせつつ、折畳部が展開してしまわないように維持することができる。また、一のシートでクラウン部を形成する場合には、他のシートとの接着によらずして折畳部を構成する各層を互いに接着すればよい。
【００３０】
図５は、通気孔が第一層又は第二層のいずれか一方に設けられる場合を示す概念図である。なお、斜線が引かれた部分は第二層を示す。図５（ａ）は、通気孔が第二層に設けられる場合を示すものであり、シート（０５０１）を、山折り（０５０２）と谷折り（０５０３）とを行い折畳部を形成し、その第二層（０５０４）に通気孔（０５０６）が設けられている。図５（ｂ）は、第一層（０５０５）に通気孔（０５０６）が設けられていることを示すものである。このように、通気孔が第一層又は第二層のいずれか一方に設けられる場合においても、通気孔による通気は十分になされる。
<実施形態１  効果>
【００３１】
本実施形態の帽子により、簡易な構成で通気性に優れる帽子を提供することが可能となる。
<実施形態２>
<実施形態２  概要>
【００３２】
本実施形態の帽子は、第二層と第三層との境界にスリットを有することにより、さらに通気性の向上を実現することが可能となる。
<実施形態２  構成>
【００３３】
本実施形態に係る帽子は、実施形態１を基本とし、折畳部を構成する層のうち、第一層と異なる層であって第二層に重なる層である第三層と、第二層との境界にスリットを有する帽子である。
【００３４】
図６は、本実施形態に係る帽子のシートを示す概念図である。図６（ａ）は、展開した状態のシートを示すものであり、図６（ｂ）は、折畳部を形成したシートの斜視図を示すものである。
【００３５】
シート（０６０１）は、山折り（０６０２）と谷折り（０６０３）とを交互に行い折畳部を形成する。折畳部を構成する層のうち、第一層（０６０６）と第二層（０６０７）との双方にかけて通気孔（０６０４）が設けられる。そして、第二層と第三層（０６０８）との境界である山折りの折り目にスリット（０６０５）が設けられる。
【００３６】
スリットは、図示したように細長い矩形状の孔を開けることによって設けてもよいし、単に切込を施すことにより設けてもよい。第二層と第三層との境界のうち、スリットをどの程度設けるかは適宜定めることができる。スリットを設ける割合を多くした場合には、通気性をより向上させることができるが、その一方で、ひっぱり強度などが低下することにより帽子の構造的強度を低下させるおそれも生じかねない。スリットをどの程度設けるかは、シート自体の強度などに応じて適宜定めることが好ましい。
<実施形態２  効果>
【００３７】
本実施形態の帽子により、より通気性に優れる帽子を簡易な構成で実現することが可能となる。
【符号の説明】
【００３８】
０１０１  帽子
０１０２  シート
０１０３  通気孔
【図１】
2013011037.tif 000003
【図２】
2013011037.tif 000004
【図３】
2013011037.tif 000005
【図４】
2013011037.tif 000006
【図５】
2013011037.tif 000007
【図６】
2013011037.tif 000008